(57)【特許請求の範囲】
【請求項１】
商品陳列用の棚板の前面に棚フェンスを支持するプライスレールを取り付けると共に、該棚板の下面に光源を配設して成るショーケースの棚板において、
前記プライスレールの下部後方に半透光性のシェードを設けたことを特徴とするショーケースの陳列棚。
【請求項２】
商品陳列用の棚板の前面に棚フェンスを支持するプライスレールを取り付けると共に、該棚板の下面に光源を配設して成るショーケースの陳列棚において、
前記プライスレールの下部後方に半透光性のシェードを設け、該シェードに商品・価格等の表示体を貼着したことを特徴とするショーケースの陳列棚。
【請求項３】
商品陳列用の棚板の前面に棚フェンスを支持するプライスレールを取り付けると共に、該棚板の下面に光源を配設して成るショーケースの棚板において、
前記プライスレールの下部後方に半透光性のシェードを設けると共に、前記プライスレールの頂部を棚板の上面より高く形成したことを特徴とするショーケースの陳列棚。
【請求項４】
商品陳列用の棚板の前面に棚フェンスを支持するプライスレールを取り付けると共に、該棚板の下面に光源を配設して成るショーケースの棚板において、
前記プライスレールの下部後方に半透光性のシェードを設けると共に、前記プライスレールの前面を内側を引っ込めたなだらかなＲ面とし、該プライスレールの前面下部が棚板の前面及び棚フェンスより前方に突出するように角度をもたせて傾斜させて取り付けたことを特徴とするショーケースの陳列棚。
【請求項５】
前記商品陳列用の棚板は、前先端が下方に向く様に傾斜していることを特徴とする請求項１，２，３又は４いずれか１項記載のショーケースの陳列棚。
【発明の詳細な説明】
【０００１】
【発明の属する技術分野】
本発明は、プライスレールの形状変更及びプライスレールの下部後方に取り付けられたシェードの材質変更による外観性向上を図ったショーケースの陳列棚に関する。
【０００２】
【従来の技術】
スーパーマーケットなどの食品販売店では、冷凍食品や生鮮食品等の陳列に、この種の多段式ショーケースが広く用いられている。
この種の多段式ショーケースは、一般的に、複数段の商品陳列棚を設けた商品陳列ケース（内ケース）の前面を開口し、該商品陳列ケースの床面、背面及び天井面と外ケースとの間にダクトを形成し、床部ダクトに設けたファンモータにて床部前端の吸込口から吸い込んだ空気を冷却器に送って冷却し、この冷気を前記ダクトの天井部前端の吹出口から前記吸込口へ向けて吹き出してエアカーテンを形成し、このエアカーテンによって、商品陳列ケース内への外気の侵入を防ぎ、陳列商品を冷却し鮮度を保つようにしている。
【０００３】
そして、図３に示すように、複数段の商品陳列棚の各々の商品陳列棚２１は、内ケースの背面に設けられた支柱２２のスロット孔に、陳列棚２１の棚ブラケット２３の後端の爪２３ａ，２３ｂを掛合させて取り付けられている。この後端の爪２３ａ，２３ｂの掛合位置をずらすことにより、陳列棚２１は水平状態（図３）と傾斜状態（図４）の態様を採ることができる。棚ブラケット２３の上には、棚板２４が取り付けられ、この棚板２４の上に商品Ｇが載置されて陳列される。
【０００４】
棚板２４の前面には、商品Ｇがずれ落ちないようにアクリル樹脂等の透明体からなる棚フェンス２５があり、該棚フェンス２５を支持し、且つ陳列商品Ｇの名前や価格等の表示体を挿着する断面略ｙ字状のプライスレール２６が棚板２４の前面に着脱可能に設けられている。
【０００５】
また、棚板２４の前方下面にＶ字状のチャネル２７を設けて、ランプホルダー２８を介して光源２９が配設されている。そして、この光源２９の光を遮光するために、プライスレール２６の下部後方に不透光性の遮光板（シェード）３０が設けられている。
【０００６】
なお、図３及び図４の陳列棚２１は、第１従来例を示し、棚板２４の前端が下方に直角に折り曲げられていることを特徴としている。そして、図５及び図６の陳列棚３１は、第２従来例を示し、棚板３２の前端が下方に折り曲げられて外側に開くように傾斜し、より商品Ｇの訴求効果を向上させたものである。この第２従来例のうち、その他の構成部材は第１従来例と同一であるので、図には同一符号を付し説明は省略する。
【０００７】
【発明が解決しようとする課題】
ところで、前述した従来のシェード３０は、棚下に配置された光源２９が目視に入って眩しくなるので、グレアー防止の意味で透光しない素材が選ばれている。しかし、陳列棚２１は、透光しないシェード３０とプライスレール２６とで、厚さが厚く見え、上下段の陳列棚２１，２１の商品の連続感が失われがちだった。
また、従来の透光しないシェード３０には、商品・価格等の表示体を貼着したものはなかった。
【０００８】
一方、従来のプライスレール２６は、図３及び図５に示すように、その頂部が棚板２４，３２に載置された商品Ｇの足元まで見えるように、棚板２４，３２表面（上面）と面一となっていた。しかし、商品Ｇがトレイ等に入っているものだと、棚フェンス２５と商品Ｇの足元に隙間Ｃ（図３及び図５参照）ができ、特に、棚板３２の前端が下方に折り曲げられて外側に開くように傾斜された第２従来例の場合などは、より目立って、極めて外観上見栄えが悪かった。
また、従来のプライスレール２６は、陳列棚２１，３１傾斜時（図４及び図６参照）、ショーケースの前面上部の庫内光源からの光が、プライスレール２６内面に影Ｓを生じさせ、商品・価格等の表示体が暗くなり、見えにくいという問題もあった。
【０００９】
本発明は上記の点に鑑み創案されたもので、陳列棚の厚さが薄く見え、上下段の陳列棚の商品の連続感があり、棚フェンスと商品の足元の隙間が見えないと共に、陳列棚傾斜時、プライスレール内面に影がほとんど生じないようにしたショーケースの陳列棚を提供することを目的とする。
【００１０】
【課題を解決するための手段】
上記の課題を解決するため、本発明においては、商品陳列用の棚板の前面に棚フェンスを支持するプライスレールを取り付けると共に、該棚板の下面に光源を配設して成るショーケースの棚板において、前記プライスレールの下部後方に半透光性のシェードを設けたことを特徴とし、また、その半透光性のシェードに、商品・価格等の表示体を貼着したことを特徴としている。
【００１１】
また、本発明は、商品陳列用の棚板の前面に棚フェンスを支持するプライスレールを取り付けたショーケースの陳列棚において、前記プライスレールを、例えば断面略Ｌ字状に形成し、その頂部を棚板の上面より高くして取り付けたこと、また、プライスレールの前面を内側を引っ込めたなだらかなＲ面とし、プライスレールの前面下部が棚板の前面及び棚フェンスより前方に突出するように角度をもたせて傾斜させて取り付けたことを特徴としている。
さらに、前記商品陳列用の棚板は、前先端が下方に向く様に傾斜していることを特徴としている。
【００１２】
上記構成を採用したことにより、シェードが半透光性のものとなり、陳列棚のシェード部が明るくなると共に、プライスレールの形状変更で陳列棚の外観性がよくなり、併せて、ショーケースの見栄えをよくすることができる。
【００１３】
【発明の実施の形態】
以下、本発明の好ましい実施の形態を図面に基づき詳細に説明する。
図１は本発明の陳列棚が水平状態の時の全体側面図、図２は同じく陳列棚が傾斜状態の時の要部側面図である。なお、要部以外の構成部材で、従来例と同一のものは、同一符号を付し、説明は省略する。
【００１４】
本発明の陳列棚１も、第２従来例と同じく、棚板２の前先端が下方に折り曲げられて外側に開くように傾斜した形状をしている。この棚板２の前面には、商品Ｇがずれ落ちないようにアクリル樹脂等の透明体からなる棚フェンス３と、この棚フェンス３を支持する断面略Ｌ字状のプライスレール４が着脱可能に設けられている。また、棚板２の前方下面には、Ｖ字状のチャネル５を設けて、ランプホルダー６を介して光源７が設けられ、この光源７の光を、半ば利用し、半ば遮光するように、プライスレール４の下部後方に、半透光性のシェード８が設けられている。本発明のシェード８は半透光なので、従来の不透光性のシェードに比べ、シェード８部を明るくさせ、客の目を引くことができ、訴求効果がある。そして、このシェード８に、商品・価格等の表示体を貼着することができる。
【００１５】
前記プライスレール４は、断面略Ｌ字状に形成され、その頂部４ａを棚板２の上面（表面）より若干高くしたので、棚フェンス３と商品Ｇの足元の隙間Ｃが視界に入らなくなり、外観上の見栄えがよくなる。また、プライスレール４の前面４ｂは、商品・価格等の表示体を簡単に挿着できるように、内側を引っ込めたなだらかなＲ面とし、陳列棚１の傾斜時（図２参照）においても、プライスレール４の前面下部が、棚板２の前面及び棚フェンス３の前面よりも前方に突出するように角度Ａ（２度程度）をもたせて傾斜させて取り付けてあるので、傾斜棚仕様でも、プライスレール４の前面にほとんど影が生じない。従って、傾斜棚仕様でも、商品・価格等の表示体が見やすくなっている。
【００１６】
【発明の効果】
以上説明したように、本発明の陳列棚によれば、次のような効果を奏する。
（１）シェード部が明るくなり、明るいラインが客の目を引く。
（２）シェード部が明るくなったので、陳列棚の厚さが薄く見え、上下段の陳列棚の商品の連続感が生ずる。
（３）シェード部が明るいので、シェードに商品・価格等の表示体を貼って、訴求効果を発揮することができる。
（４）プライスレールの頂部を棚板の上面（表面）より高くしたので、商品の足元と棚フェンスの隙間が視界に入らなくなり、外観性が向上する。
（５）陳列棚傾斜時、プライスレールの前面下部が棚板の前面及び棚フェンスの前面より、より前方に突出するように角度をもたせて傾斜させて取り付けたので、プライスレール面に影がほとんど生ぜず、表示体が見やすくなる。
【図面の簡単な説明】
【図１】本発明の陳列棚が水平状態の時の全体側面図である。
【図２】本発明の陳列棚が傾斜状態の時の要部側面図である。
【図３】陳列棚が水平状態の第１従来例の全体側面図である。
【図４】陳列棚が傾斜状態の時の第１従来例の要部側面図である。
【図５】陳列棚が水平状態の第２従来例の全体側面図である。
【図６】陳列棚が傾斜状態の時の第２従来例の要部側面図である。
【符号の説明】
１  商品陳列棚
２  棚板
３  棚フェンス
４  プライスレール
４ａ  頂部
４ｂ  前面
５  チャネル
６  ランプホルダー
７  光源
８  シェード
２２  支柱
２３  棚ブラケット
２３ａ，２３ｂ  爪
Ｇ  商品
Ｃ  隙間
Ｓ  影
【図１】
0004828010.tif 000002
【図２】
0004828010.tif 000003
【図３】
0004828010.tif 000004
【図４】
0004828010.tif 000005
【図５】
0004828010.tif 000006
【図６】
0004828010.tif 000007